(57)【要約】      （修正有）【課題】原稿のタイトル名が同じで内容が異なる原稿があっても、原稿を正確に分類することができる画像読取システムを提供する。【解決手段】複数種類の原稿を連続して読み取り、原稿単位で電子ファイルを生成する原稿読取システムにおいて、頁番号情報、総頁数情報、原稿特定情報を、原稿印刷時に埋め込んで印刷する情報埋め込み手段を有する。また、読み取る原稿上に、上記埋め込み手段が印刷した頁番号情報、総頁数情報、原稿特定情報を読み取る手段を有する。上記頁番号情報、総頁数情報、原稿特定情報に基づいて、原稿単位で、頁欠けを検出する検出手段と、上記検出手段が検出した頁欠け箇所を表示する頁欠け表示手段とを有する。上記頁欠け表示手段に表示されている欠け頁の再読み取りを促し、原稿の再読み取りを実行する制御手段を有する原稿読取システムである。【選択図】図１
2008278307.tif 000002
【特許請求の範囲】
【請求項１】
複数種類の原稿を連続して読み取り、原稿単位で電子ファイルを生成する原稿読取システムにおいて、
頁番号情報、総頁数情報、原稿特定情報を、原稿印刷時に埋め込んで印刷する情報埋め込み手段と；
読み取る原稿上に、上記埋め込み手段が印刷した頁番号情報、総頁数情報、原稿特定情報を読み取る手段と；
上記頁番号情報、総頁数情報、原稿特定情報に基づいて、原稿単位で、頁欠けを検出する検出手段と；
上記検出手段が検出した頁欠け箇所を表示する頁欠け表示手段と；
上記頁欠け表示手段に表示されている欠け頁の再読み取りを促し、原稿の再読み取りを実行する制御手段と；
を有することを特徴とする原稿読取システム。
【請求項２】
請求項１において、
上記原稿特定情報は、上記原稿特定情報が埋め込まれている原稿を、一意に特定できる情報であることを特徴とする原稿読取システム。
【請求項３】
請求項１において、
上記原稿特定情報は、ＧＵＩＤであることを特徴とする原稿読取システム。
【請求項４】
請求項１において、
上記頁欠け表示手段は、頁欠けが発生した頁番号と、当該欠けた頁の前後画像データのサムネイルとを表示する手段であることを特徴とする原稿読取システム。
【請求項５】
複数種類の原稿を連続して読み取り、原稿単位で、電子ファイルを生成する原稿読取システムにおいて、
頁番号情報、総頁数情報、原稿特定情報、両面原稿の各頁のうちで、対になっている頁の番号である対頁番号情報を、原稿印刷時に埋め込んで印刷する情報埋め込み手段と；
読み取る原稿上に上記埋め込み手段が印刷した頁番号情報、総頁数情報、原稿特定情報、対頁番号情報を読み取る手段と；
上記頁番号情報、上記総頁数情報、上記特定情報、上記対頁番号情報に基づいて、原稿単位で頁欠けを検出する検出手段と；
上記検出手段が検出した頁欠け箇所を表示する頁欠け表示手段と；
上記頁欠け表示手段に、表示された欠け頁の再読み取りを促し、原稿の再読み取りを実行する制御手段と；
を有することを特徴とする原稿読取システム。
【請求項６】
請求項５において、
上記原稿特定情報は、上記頁番号情報、上記総頁数情報、上記原稿特定情報、上記対頁番号情報が埋め込まれている各原稿を、一意に特定できる情報であることを特徴とする原稿読取システム。
【請求項７】
請求項５において、
上記原稿特定情報は、ＧＵＩＤであることを特徴とする原稿読取システム。
【請求項８】
請求項５において、
上記頁欠け表示手段は、頁欠けが発生した頁番号と、当該欠けた頁の前後画像データのサムネイルとを表示する手段であることを特徴とする原稿読取システム。
【請求項９】
複数種類の原稿を連続して読み取り、原稿単位で電子ファイルを生成する原稿読取システムの制御方法において、
頁番号情報、総頁数情報、原稿特定情報を、原稿印刷時に埋め込んで印刷する情報埋め込み工程と；
読み取る原稿上に、上記埋め込み工程で印刷した頁番号情報、総頁数情報、原稿特定情報を読み取る工程と；
上記頁番号情報、総頁数情報、原稿特定情報に基づいて、原稿単位で、頁欠けを検出する検出工程と；
上記検出工程で検出された頁欠け箇所を表示する頁欠け表示工程と；
上記頁欠け表示工程で表示された欠け頁の再読み取りを促し、原稿の再読み取りを実行する制御工程と；
を有することを特徴とする原稿読取システムの制御方法。
【請求項１０】
複数種類の原稿を連続して読み取り、原稿単位で、電子ファイルを生成する原稿読取システムの制御方法において、
頁番号情報、総頁数情報、原稿特定情報、両面原稿の各頁のうちで、対になっている頁の番号である対頁番号情報を、原稿印刷時に埋め込んで印刷する情報埋め込み工程と；
読み取る原稿上に上記埋め込み工程で印刷した頁番号情報、総頁数情報、原稿特定情報、対頁番号情報を読み取る工程と；
上記頁番号情報、総頁数情報、原稿特定情報、上記対頁番号情報に基づいて、原稿単位で頁欠けを検出する検出工程と；
上記検出工程で検出した頁欠け箇所を表示する頁欠け表示工程と；
上記頁欠け表示工程で、表示された欠け頁の再読み取りを促し、原稿の再読み取りを実行する制御工程と；
を有することを特徴とする原稿読取システムの制御方法。
【発明の詳細な説明】
【技術分野】
【０００１】
本発明は、連続的に複数の原稿の画像を読み取り、画像データに基づいて、電子ファイルを生成する画像読取システム及び原稿読取システムの制御方法に関する。
【背景技術】
【０００２】
自動原稿送り装置（以下、「ＡＤＦ」という）を備えるスキャナにおいて、連続で原稿を読み込み電子化する場合、２枚の原稿が重なり、重なった２枚の原稿が同時にＡＤＦで搬送され読み取られる重送が発生する。この重送によってスキャンした画像データの頁欠けが発生する。
【０００３】
スキャン時に読み込んだ原稿が、全て正常にスキャンしたことを確認する場合、スキャンされ画像データ内に含まれる「総頁情報」や「頁番号」をＯＣＲ等で解析し、欠落している頁を検査する発明が提案されている（たとえば、特許文献１参照）。
【０００４】
また、スキャナで読み込む原稿が、両面原稿の場合にも、原稿に予め埋め込まれている「表裏情報」と、「総頁情報」と、「頁番号」とを、ＯＣＲ等で解析し、欠落している頁を検査する発明が、提案されている（たとえば、特許文献２参照）。
【特許文献１】特開平８−２３４３３号公報
【特許文献２】特開２０００―１７４９９４号公報
【発明の開示】
【発明が解決しようとする課題】
【０００５】
しかし、特許文献１記載の発明では、一度のスキャンで読み込み電子化するのは、１種類の原稿のみであり、一度のスキャンで複数種類の原稿を連続して読み込み電子化する場合には考慮されていない。
【０００６】
すなわち、原稿から読み込むことができる情報は、「総頁数」と「頁番号」とのみである。このために、ＡＤＦを備えたスキャナにおいて、複数種類の原稿を連続してスキャンし、原稿単位の電子ファイルとして保存し、スキャンする複数種類の原稿が混在する場合、原稿単位で頁欠けを検出し、ユーザに重送箇所を知らせることはできない。たとえば、総頁数が２である第１の原稿と、総頁数が２である第２の原稿とが混在している状態でスキャンする際、２頁目の原稿をスキャンしたときに、第１の原稿の２頁目であるのか、第２の原稿の２頁目であるのかを区別できない。
【０００７】
そこで、たとえば、原稿上に記述される原稿のタイトル名を、ＯＣＲ等で読み込み、原稿のタイトル名に基づいて、混在している原稿を分類する等の方法が考えられる。しかし、この方法では、原稿のタイトル名が同じで内容が異なる原稿があれば、原稿を正確に分類することができないという問題がある。
【０００８】
また、タイトル名と内容とがまったく同じ原稿が存在し、各原稿に別々の手書き情報を加えた場合、これらを区別し、保存する場合がある。この場合、タイトル名で原稿を区別する方法では、原稿を区別することはできないという問題がある。
【０００９】
また、特許文献２記載の発明も、特許文献１記載の発明と同様に、一度のスキャンで読み込み電子化する原稿は、１種類の原稿のみであり、一度のスキャンで複数種類の原稿を連続して読み込み、電子化する場合を考慮してはいない。したがって、１回の読み取りで片面の情報を読み取るスキャナで、両面原稿を読み込む場合、複数種類の原稿を連続してスキャンし、原稿単位の電子ファイルとして保存することができないという問題がある。
【００１０】
本発明は、原稿のタイトル名が同じで内容が異なる原稿があっても、原稿を正確に分類することができる画像読取システムを提供することを目的とする。
【００１１】
本発明は、１回の読み取りで片面の情報を読み取るスキャナで、両面原稿を読み込む場合、複数種類の原稿を連続してスキャンし、原稿単位の電子ファイルとして保存することができる画像読取システムを提供することを目的とする。
【課題を解決するための手段】
【００１２】
本発明は、複数種類の原稿を連続して読み取り、原稿単位で電子ファイルを生成する原稿読取システムにおいて、頁番号情報、総頁数情報、原稿特定情報を、原稿印刷時に埋め込んで印刷する情報埋め込み手段を有する。また、本発明は、読み取る原稿上に、上記埋め込み手段が印刷した頁番号情報、総頁数情報、原稿特定情報を読み取る手段を有する。本発明は、上記頁番号情報、総頁数情報、原稿特定情報に基づいて、原稿単位で、頁欠けを検出する検出手段と、上記検出手段が検出した頁欠け箇所を表示する頁欠け表示手段とを有する。本発明は、上記頁欠け表示手段に表示されている欠け頁の再読み取りを促し、原稿の再読み取りを実行する制御手段を有する原稿読取システム。
【発明の効果】
【００１３】
本発明によれば、原稿に頁情報、総頁数、原稿特定情報を予め埋め込み、スキャン時にこれらの情報を読み込み、複数の原稿を連続してスキャンし、原稿単位の電子ファイルに保存するので、画像データの頁欠けを正確に検知することができる。
【００１４】
また、本発明によれば、原稿に頁情報、総頁数、原稿特定情報、対頁番号情報を予め埋め込んだ情報を、スキャン時に読み込み、複数の原稿を連続してスキャンし、原稿単位の電子ファイルに保存する場合、画像データの頁欠けを正確に検知できる。
【発明を実施するための最良の形態】
【００１５】
発明を実施するための最良の形態は、次の実施例である。
【実施例１】
【００１６】
図１は、本発明の実施例１である画像処理装置１００の構成を示すブロック図である。
【００１７】
画像処理装置１００は、情報処理装置１０と、原稿読取装置２０とによって構成されている。
【００１８】
情報処理装置１０は、表示装置１と、ＲＡＭ２と、ＲＯＭ３と、ＣＰＵ４と、入力装置５と、Ｉ／Ｆ部６と、外部記憶装置７とを有する。
【００１９】
表示装置１は、ディスプレイや液晶モニタなどによって構成されている。ＲＡＭ２は、処理結果やデータを記憶する。ＲＯＭ３は、プログラムを格納する。ＣＰＵ４は、ホストコンピュータによって構成され、予め設定されている制御プログラムに従って、各種処理を実行する。入力装置５は、キーボードやマウスなどによって、構成されている。Ｉ／Ｆ部６は、ＵＳＢなどによって構成されている。外部記憶装置７は、ＨＤＤなどによって構成されている。
【００２０】
原稿読取装置２０は、ＡＤＦが備えられ、１回の読み取り処理で片面の情報を読み取ることができるスキャナであり、Ｉ／Ｆ部２１と、原稿読取部２２と、原稿読取装置制御部３０とを有する。原稿読取部２２に読み込まれた原稿は、画像データとして、Ｉ／Ｆ部２１を介して、情報処理装置１０に送信される。
【００２１】
図２は、実施例１において、読み込む原稿Ｄの形態を示す図である。
【００２２】
原稿Ｄには、情報が付加されている。プリンタ等の原稿出力装置で原稿Ｄを出力するときに、当該原稿Ｄ内に、頁番号、原稿の総頁数、原稿特定情報を、予め紙面に埋め込む。これらの情報は、原稿Ｄの内容に影響を及ぼさないので、不可視な状態で埋め込まれることが好適であるが、２次元バーコードのように可視の状態の情報として埋め込むようにしてもよい。
【００２３】
不可視な状態で紙面に情報を埋め込む技術としては、原稿Ｄの内容がモノクロであれば、「電子透かし」の技術（たとえば、特開２００３−２３０００１号公報参照）が知られている。また、原稿Ｄの内容がカラーであれば、「情報多重化」の技術が用いられ（たとえば、特開２００１−１０３２７７号公報参照）、原稿Ｄ内に上記３つの情報（頁番号、原稿の総頁数、原稿特定情報）が予め埋め込まれる。
【００２４】
頁番号は、当該頁が何頁であるかを示す情報であり、総頁数は、当該原稿の総頁を示す情報である。原稿特定情報は、スキャン対象である原稿Ｄを一意に特定できる情報である。たとえば、実施例１において、原稿特定情報は、プリンタ等の原稿出力装置で、原稿出力時に予め埋め込まれるが、原稿特定情報は、1回毎の出力を一意に特定できるように付加される。出力内容が全く同じ場合でも、原稿特定情報は異なる。実施例１では、原稿特定情報として、ＧＵＩＤ（Ｇｌｏｂａｌｌｙ  Ｕｎｉｑｕｅ  Ｉｄｅｎｔｉｆｉｅｒ）を使用する。
【００２５】
図３は、実施例１における原稿読取制御部３０の具体例を示すブロック図である。
【００２６】
原稿読取制御部３０は、スキャンデータ保持手段３１と、埋め込み情報読取手段３２と、頁管理手段３３と、頁情報解析手段３４と、欠け頁情報表示手段３５とを有する。
【００２７】
スキャンデータ保持手段３１は、原稿読取装置２０から受け取った画像データや画像データ内に埋め込まれている情報を保持する。スキャンデータ保持手段３１は、ＲＡＭ２に構成されていてもよく、外部記憶装置７に構成されていてもよい。
【００２８】
埋め込み情報読取手段３２は、原稿読取装置２０から受け取った画像データが、１頁分の原稿単位で入力され、当該画像データに含まれている頁番号、総頁数、原稿特定情報を読み取る。埋め込み情報読取手段３２は、読み込んだこれらの情報と画像データとをセットにして、スキャンデータ保持手段３１に保存する。
【００２９】
頁管理手段３３は、スキャンデータ保持手段３１に、頁番号と、総頁数と、原稿特定情報とがセットで保存されている画像データを、原稿特定情報に基づいてグループ単位に分割し、管理する。グループ単位での管理については後述する。
【００３０】
頁情報解析手段３４は、頁管理手段３３によって、グループ単位で管理され、画像データとセットで保存されている頁番号、総頁数情報を解析し、欠けている頁を検出する。頁管理方法に関しては、後述する。
【００３１】
欠け頁情報表示手段３５は、頁情報解析手段３４の解析結果において欠け頁があった場合、その結果を表示する。
【００３２】
図４は、実施例１において、連続してスキャンする原稿の例を示す図である。
【００３３】
３頁と４頁との２種類の原稿Ｄ１〜Ｄ７の紙面上には、頁番号、総頁数、原稿特定情報が付加されている。たとえば、原稿Ｄ１には、頁番号「１」、総頁数「３」、原稿特定情報「３Ｄ８１３ＦＣＡ−７７Ｃ４−４１３ｂ−９ＢＦ７−５Ｂ１３０Ｃ０Ｄ７Ｃ７６」が付加されている。原稿Ｄ４には、頁番号「１」、総頁数「４」、原稿特定情報「３Ｄ８１３ＦＣＡ−７７Ｃ４−４１３ｂ−９ＢＦ７−５Ｂ１３０Ｃ０Ｄ７Ｃ７７」が付加されている。
【００３４】
図５は、図４に示す原稿Ｄ１〜Ｄ７が、スキャンデータ保持手段３１内に保存されている状態を示す図である。
【００３５】
実施例１では、埋め込み情報読取手段３２によって取得した原稿特定情報に基づいて、スキャンデータ保持手段３１に、グループを形成し、当該グループ毎に、各頁の画像データを保持する。
【００３６】
画像データ５１は、原稿特定情報「３Ｄ８１３ＦＣＡ−７７Ｃ４−４１３ｂ−９ＢＦ７−５Ｂ１３０Ｃ０Ｄ７Ｃ７６」をグループ番号として、原稿Ｄ１、Ｄ２の画像データが、頁番号、総頁数情報と共に保存されている状態を示している。
【００３７】
同様に、画像データ５２は、原稿特定情報「３Ｄ８１３ＦＣＡ−７７Ｃ４−４１３ｂ−９ＢＦ７−５Ｂ１３０Ｃ０Ｄ７Ｃ７７」をグループ番号として、原稿Ｄ４、Ｄ５、Ｄ７の画像データが、頁番号、総頁数情報と共に保存されている状態を示す。実施例１では、最終的に、原稿特定情報単位のグループ毎に（Ｐｏｒｔａｂｌｅ  Ｄｏｃｕｍｅｎｔ  Ｆｏｒｍａｔ）ＰＤＦファイル化する。
【００３８】
図６は、図５に示す画像データを解析した結果、欠け頁がある場合に表示される警告画面の例を示す図である。
【００３９】
欠け頁警告画面６１は、画像データ５１の頁番号、総頁数を解析した結果、表示される。画像データ５１において、グループ内にある全ての画像データの頁番号、総頁数から判断すると、３頁目がないことが分かる。
【００４０】
よって、警告画面６１に示すように、３頁目がないことを、ユーザに知らせる画面を表示する。実施例１では、予め不可視な状態で、頁番号を紙媒体上に埋め込んでおくので、紙媒体の原稿Ｄ上に頁番号がない場合がある。そのために、欠けている頁番号を知らせるだけでは、ユーザに、どの頁が欠けているかを知らせるには、不十分である。
【００４１】
実施例１では、警告画面６１に示すように、欠けている頁の前頁のサムネイルも同時に表示する。同様に、欠け頁警告画面６２は、画像データ５２の頁番号、総頁数を解析した結果、表示される欠け頁警告画面である。欠け頁警告画面６２は、欠けている頁の頁数と、当該頁の前後頁のサムネイルとを表示している。警告画面６１は、最終頁が欠けている場合の警告画面であり、警告画面６２は、中間の頁が欠けている場合の警告画面である。
【００４２】
次に、図４に示す原稿をスキャンする場合における実施例１の動作を説明する。
【００４３】
図７は、図４に示す原稿をスキャンする場合における実施例１の動作を示すフローチャートである。
【００４４】
ユーザは、原稿読取装置２０に設けられているＡＤＦ上に、複数種類の原稿をセットする（Ｓ１）。セットされた複数種類の原稿のスキャンが開始されると、原稿読取装置２０が生成した画像データが、Ｉ／Ｆ部２１、６を介して、情報処理装置１０に送信される。埋め込み情報読取手段３２は、原稿読取装置２０から送られた画像データを、１頁単位で受け取る（Ｓ２）。
【００４５】
次いで、埋め込み情報読取手段３２は、画像データ内に埋め込まれている頁番号、総頁数、原稿特定情報を読み込む（Ｓ３）。
【００４６】
Ｓ３で埋め込み情報を読み込むことができると、スキャンデータ保持手段３１に、頁番号、総頁数、原稿特定情報と共に、画像データを保存し（Ｓ５）、Ｓ７に進む。一方、読み込めなければ、画像データと共に埋め込み情報なしの情報を、スキャンデータ保持手段３１に保存し（Ｓ６）、ステップＳ７に進む（Ｓ４）。
【００４７】
スキャンデータ保持手段３１内の画像データと共に保存された原稿特定情報を検索し、当該原稿特定情報に基づいたグループが、既に存在するかどうかを調べる（Ｓ７）。
【００４８】
Ｓ７の検索結果、スキャンデータ保持手段３１内に、当該原稿特定情報のグループが既に存在しない原稿特定情報（新規の原稿特定情報）であれば（Ｓ８）、Ｓ９に進み、グループが存在すれば、Ｓ１０に進む。
【００４９】
スキャンデータ保持手段３１内に当該原稿特定情報のグループが存在しない場合、原稿特定情報をグループ番号とした新規グループを作成すると共に、頁番号、総頁数情報と共に保存されている現頁の画像データを、新規作成したグループに追加する。また、Ｓ４で埋め込み情報がなければ、原稿特定情報なしの新規グループを作成すると共に、現頁の画像データのみを、グループに追加する（Ｓ９）。
【００５０】
既にグループが存在すれば、頁番号、総頁数情報と共に保存されている現頁の画像データを、既存のグループに追加する。また、Ｓ４で埋め込み情報がないと判断すると、原稿特定情報なしのグループに、現頁の画像データを追加する（Ｓ１０）。
【００５１】
Ｓ１１で次頁の画像データがあると判断されれば、Ｓ２に戻る。次頁の画像データがなければ（原稿読取装置２０によって読み込まれ、生成された画像データの全ての処理が終われば）、Ｓ２０に進む（Ｓ１１）。
【００５２】
グループ単位で保存された画像データに、頁欠けがあれば、頁警告画面を表示する。
【００５３】
欠け頁表示動作（Ｓ２０）の処理の詳細に関しては後述する。
【００５４】
次に、Ｓ１２で、スキャンデータ保持手段３１に保持されている全てのグループにおいて、頁欠けがなければ、Ｓ１３に進む。頁欠けがあれば、Ｓ１に戻り、ユーザは、欠け頁情報表示手段３５に表示されている表示結果に基づいて、原稿読み取り時に重送等で欠けた頁を、再度原稿読取装置２０のＡＤＦにセットし、再度読み取る。
【００５５】
スキャンデータ保持手段３１に保持されている画像データを、グループ毎にＰＤＦファイル化する（Ｓ１３）。
【００５６】
図８は、欠け頁表示動作（Ｓ２０）を示すフローチャートである。
【００５７】
まず、頁情報解析手段３４は、スキャンデータ保持手段３１に、グループ毎に画像データと共に保存されている頁番号、総頁数情報を解析し、頁欠けがあるかどうかを解析する（Ｓ２１）。
【００５８】
図４に示す複数の原稿Ｄ１〜Ｄ７の画像データは、図５に示すように、原稿特定情報に基づいたグループ単位で保存されている。原稿の画像データ５１を解析すると、３頁目が欠けていると判断でき、また、原稿の画像データ５２を解析すると、３頁目のデータが欠けていることが分かる。
【００５９】
頁番号が欠けていなければ、Ｓ２４に進み、欠けていれば、Ｓ２３に進む（Ｓ２２）。
【００６０】
スキャンデータ保持手段３１のグループ毎の画像データにおいて、欠けている頁を、欠け頁情報表示手段３５が表示する（Ｓ２３）。
【００６１】
欠けている頁は、図６に示すようなＧＵＩＤで表示する。このときに、埋め込み情報読取手段３２によって取得した頁番号だけでなく、欠けている頁の前頁、または前後頁のサムネイルを表示する。
【００６２】
スキャンデータ保持手段３１に保持される画像データのグループの全てについて、解析処理した場合、欠け頁表示動作（Ｓ２０）の処理を終了し、Ｓ１２に進み、そうでなければ、Ｓ２１へ戻る（Ｓ２４）。
【００６３】
図８に示すフローチャートに従って処理した場合、欠けている頁を検出する毎に、図６に示すＧＵＩＤ画面を表示するが、スキャナが読み取った画像データの全てについて欠け頁を検出した後に、欠け頁をまとめて表示するようにしてもよい。
【実施例２】
【００６４】
本発明の実施例２は、１回の読み取りで、原稿の片面のみを読み込む原稿読取装置において、両面原稿を読み取る場合の処理に関する実施例である。
【００６５】
図９は、本発明の実施例２において、両面原稿を読み込む場合の原稿の形態を示す図である。
【００６６】
１頁の両面原稿７１は、両面原稿の表面を示し、１頁の両面原稿７２は、両面原稿の裏面を示す。
【００６７】
１頁の両面原稿７１、７２のそれぞれには、頁番号、原稿の総頁数、原稿特定情報、対頁番号情報が埋め込まれている。上記「対頁番号情報」は、両面原稿の各頁のうちで、対になっている頁の番号を示す情報である。これらの情報は、実施例１と同様の方法で埋め込まれている。
【００６８】
図１０は、実施例２において、連続してスキャンする両面原稿の例を示す図である。
【００６９】
３枚の両面原稿８１〜８３のうちの１枚の両面原稿の表裏の紙面上に、頁番号、総頁数、原稿特定情報、対頁番号情報が付加されている。たとえば両面原稿８１の表面には、頁番号「１」、総頁数「６」、原稿特定情報「３Ｄ８１３ＦＣＡ−７７Ｃ４−４１３ｂ−９ＢＦ７−５Ｂ１３０Ｃ０Ｄ７Ｃ３３」、対頁番号情報「２」が付加されている。両面原稿８１の裏面には、頁番号「２」、総頁数「６」、原稿特定情報「３Ｄ８１３ＦＣＡ−７７Ｃ４−４１３ｂ−９ＢＦ７−５Ｂ１３０Ｃ０Ｄ７Ｃ３３」、対頁番号情報「１」が付加されている。
【００７０】
図１１は、画像データがスキャンデータ保持手段３１に保存されている状態を示す図である。
【００７１】
画像データ１０１は、図１０に示す原稿８１、８２、８３の表面を全てスキャンした後に保存されている画像データである。原稿特定情報「３Ｄ８１３ＦＣＡ−７７Ｃ４−４１３ｂ−９ＢＦ７−５Ｂ１３０Ｃ０Ｄ７Ｃ３３」をグループ番号として、原稿８１、８２、８３の画像データが、頁番号、総頁数、対頁番号情報と共に保存されている。画像データの保存状態画像データ１０２は、図１０に示す原稿８１、８２、８３の表裏を全てスキャンした後に保存されている画像データである。実施例１と同様に、最終的に、原稿特定情報単位のグループ毎に（Ｐｏｒｔａｂｌｅ  Ｄｏｃｕｍｅｎｔ  Ｆｏｒｍａｔ）ＰＤＦファイル化する。
【００７２】
図１２は、図１１に示す画像データを解析した結果、欠け頁がある場合に表示される警告画面１１１を示す図である。
【００７３】
警告画面１１１は、保存状態画像データ１０２の画像データの頁番号、総頁数、対頁番号情報を解析した結果、表示される欠け頁警告画面である。保存状態画像データ１０２において、グループ内にある全ての画像データの頁番号、総頁数、対頁番号情報を見ると、４頁目の画像データがないことが分かる。よって、警告画面１１１に示すように、４頁目の両面原稿がないことをユーザに知らせる画面を表示する。警告画面１１１に示すように、埋め込み情報読み取り手段３２で取得した頁番号と共に、欠けている頁の前後頁のサムネイルも、実施例１と同様に、同時に表示する。
【００７４】
次に、実施例２において、図１０に示す両面原稿８１、８２、８３をスキャンする場合の動作について説明する。
【００７５】
図１３は、実施例２において、図１０に示す両面原稿８１、８２、８３をスキャンする場合の動作を示すフローチャートである。
【００７６】
ユーザは、原稿読取装置２０に設けられているＡＤＦ上に両面原稿をセットする（Ｓ３１）。
【００７７】
セットされた両面原稿のスキャンを開始すると、原稿読取装置２０が生成した画像データが、Ｉ／Ｆ部２１、６を介して、情報処理装置１０に送信される。埋め込み情報読取手段３２は、画像データを１頁単位で受け取る（Ｓ３２）。
【００７８】
次いで、埋め込み情報読取手段３２は、画像データ内に埋め込まれている頁番号、総頁数、原稿特定情報、対頁番号情報を読み込む（Ｓ３３）。
【００７９】
Ｓ３３で、埋め込み情報を読み込むことができれば、スキャンデータ保持手段３１に、頁番号、総頁数、原稿特定情報、対頁番号情報と共に、画像データを保存し（Ｓ３５）、Ｓ３７に進む。一方、読み込めなければ、画像データと共に埋め込む情報がない旨の情報を、スキャンデータ保持手段３１に保存し（Ｓ３６）、ステップＳ３７に進む（Ｓ３４）。
【００８０】
スキャンデータ保持手段３１内の画像データと共に保存されている原稿特定情報を検索し、当該特定情報のグループが既に存在するかどうかを調べる（Ｓ３７）。
【００８１】
Ｓ３７の検索の結果、スキャンデータ保持手段３１内に当該原稿特定情報のグループが既に存在しない原稿特定情報（新規の原稿特定情報）であれば、Ｓ３９に進み、グループが存在すれば、Ｓ４０に進む（Ｓ３８）。
【００８２】
スキャンデータ保持手段３１内に当該原稿特定情報のグループが存在しなければ、原稿特定情報をグループ番号とする新規グループを作成する。また、これとともに、頁番号、総頁数、対頁番号情報と共に保存されている現頁の画像データを、新規作成したグループに追加する。また、Ｓ３４で埋め込み情報がないと判断されれば、原稿特定情報なしの新規グループを作成すると共に、現頁の画像データのみをグループに追加する（Ｓ３９）。
【００８３】
既にグループが存在すれば、頁番号、総頁数、対頁番号情報と共に、保存されている現頁の画像データを、既存のグループに追加する。また、Ｓ３４で埋め込み情報がないと判断されれば、原稿特定情報なしのグループに、現頁の画像データを追加する（Ｓ４０）。
【００８４】
Ｓ４１で次頁の画像データがあると判断されれば、Ｓ３２に戻る。次頁の画像データがなければ、Ｓ４２に進む。
【００８５】
スキャンデータ保持手段３１内の原稿特定情報で分けられた各グループについて、対頁番号情報を検索し、対頁番号情報が１つでもあれば、両面原稿であると判断し、Ｓ４４に進み、対頁番号情報が１つもなければ、Ｓ５０に進む（Ｓ４２、Ｓ４３）。
【００８６】
埋め込み情報読取手段３２は、スキャンデータ保持手段３１内に保持されている対頁番号情報の内容を解析し、読み込んだ両面原稿の表面裏面が読み込まれたかどうかを検査する。グループ内の、頁番号と対頁番号情報とを検査し、原稿特定情報で分けられた各グループにおいて、対頁番号情報に該当する画像データがグループ内になければ、両面原稿の片面のみを読み込んだと判断する。
【００８７】
図１４は、両面原稿読み取り時に、裏面の読み取りを促すメッセージが保存されている状態を示す図である。
【００８８】
上記のように、両面原稿の片面のみを読み込んだと判断すると、図１４の警告画面９１に示すように、裏面の読み取りを促すメッセージを表示する（Ｓ４５）。そして、Ｓ３１に戻り、ユーザは、原稿読取装置２０に備えられているＡＤＦ上に、両面原稿を再びセットする。原稿特定情報で分けられた各グループにおいて、対頁番号情報に該当する画像データがグループ内にあれば、両面原稿の両面を読み込んだと判断し、Ｓ５０に進む（Ｓ４４）。
【００８９】
グループ単位で保存されている画像データに、頁欠けがあれば、頁警告画面を表示する。
【００９０】
次に、Ｓ４６に進み、スキャンデータ保持手段３１に保持される全てのグループにおいて、頁欠けがなければ、Ｓ４７に進む。頁欠けがあれば、Ｓ３１に戻り、ユーザは、欠け頁情報表示手段３５が表示している表示結果に基づいて、読み取り時に重送等で欠けた頁を、再度原稿読取装置２０のＡＤＦにセットし、再度読み取りを行う（Ｓ４６）。
【００９１】
スキャンデータ保持手段３１に保持されている画像データを、実施例１と同様に、グループ毎にＰＤＦファイル化する（Ｓ４７）。
【００９２】
図１５は、実施例２における欠け頁表示動作（Ｓ５０）を示すフローチャートである。
【００９３】
まず、頁情報解析手段３４は、スキャンデータ保持手段３１にグループ毎に画像データと共に保存されている頁番号、総頁数情報を解析し、頁欠けがあるかどうかを解析する（Ｓ５１）。
【００９４】
両面原稿８１〜８３の画像データは、図１１に示すように、原稿特定情報に基づいたグループ単位で保存されている。両面原稿の画像データ１０２を解析すると、４頁目が欠けていると判断できる。
【００９５】
頁番号が欠けていなければ、Ｓ５４に進み、欠けていれば、Ｓ５３に進む（Ｓ５２）。
【００９６】
スキャンデータ保持手段３１のグループ毎の画像データにおいて、欠けている頁を、欠け頁情報表示手段３５がユーザに表示する（Ｓ５３）。
【００９７】
欠けている頁は、図１２に示すようなＧＵＩＤで表示する。このときに、埋め込み情報読取手段３２が取得した頁番号だけでなく、欠けている頁の前頁、または前後頁のサムネイルを表示する。
【００９８】
スキャンデータ保持手段３１に保持されている画像データのグループ全てに対して、解析処理を行った場合、Ｓ５０の処理を終了し、Ｓ４６に進み、そうでない場合は、Ｓ５１へ戻る（Ｓ５４）。
【００９９】
図１５に示すフローチャートに従い処理を行った場合、欠けている頁を検出する毎に、図１２に示すＧＵＩＤ画面が表示され、スキャナが読み取った画像データの全てについて、欠け頁を検出した後に、欠け頁をまとめて表示するようにしてもよい。
【０１００】
上記実施例は、複数種類の原稿を連続して読み取り、原稿単位で電子ファイルを生成する原稿読取システムにおいて、頁番号情報、総頁数情報、原稿特定情報を、原稿印刷時に埋め込んで印刷する情報埋め込み手段を有する。上記実施例は、読み取る原稿上に、上記埋め込み手段が印刷した頁番号情報、総頁数情報、原稿特定情報を読み取る手段と、上記頁番号情報、総頁数情報、原稿特定情報に基づいて、原稿単位で、頁欠けを検出する検出手段とを有する。また、上記実施例は、上記検出手段が検出した頁欠け箇所を表示する頁欠け表示手段と、上記頁欠け表示手段に表示されている欠け頁の再読み取りを促し、原稿の再読み取りを実行する制御手段とを有する原稿読取システムの例である。
【０１０１】
この場合、上記原稿特定情報は、上記原稿特定情報が埋め込まれている原稿を、一意に特定できる情報である。また、上記原稿特定情報は、ＧＵＩＤである。さらに、上記頁欠け表示手段は、頁欠けが発生した頁番号と、当該欠けた頁の前後画像データのサムネイルとを表示する手段である。
【０１０２】
そして、上記実施例は、複数種類の原稿を連続して読み取り、原稿単位で、電子ファイルを生成する原稿読取システムである。また、上記実施例は、頁番号情報、総頁数情報、原稿特定情報、両面原稿の各頁のうちで、対になっている頁の番号である対頁番号情報を、原稿印刷時に埋め込んで印刷する情報埋め込み手段を有する。
【０１０３】
また、上記実施例は、読み取る原稿上に上記埋め込み手段が印刷した頁番号情報、総頁数情報、原稿特定情報、対頁番号情報を読み取る手段を有する。上記実施例は、上記頁番号情報、上記総頁数情報、上記原稿特定情報、上記対頁番号情報に基づいて、原稿単位で頁欠けを検出する検出手段と、上記検出手段が検出した頁欠け箇所を表示する頁欠け表示手段とを有する。さらに、上記実施例は、上記頁欠け表示手段に、表示された欠け頁の再読み取りを促し、原稿の再読み取りを実行する制御手段を有する原稿読取システムの例である。
【０１０４】
この場合、上記原稿特定情報は、頁番号情報、総頁数情報、原稿特定情報、対頁番号情報が埋め込まれている各原稿を、一意に特定できる情報である。また、上記原稿特定情報は、ＧＵＩＤである。さらに、上記頁欠け表示手段は、頁欠けが発生した頁番号と、当該欠けた頁の前後画像データのサムネイルとを表示する手段である。
【０１０５】
また、上記実施例を方法の発明として把握することができる。つまり、上記実施例は、複数種類の原稿を連続して読み取り、原稿単位で電子ファイルを生成する原稿読取システムの制御方法において、頁番号情報、総頁数情報、原稿特定情報を、原稿印刷時に埋め込んで印刷する情報埋め込み工程を有する。また、上記実施例は、読み取る原稿上に、上記埋め込み工程で印刷した頁番号情報、総頁数情報、原稿特定情報を読み取る工程を有する。さらに、上記実施例は、上記頁番号情報、総頁数情報、原稿特定情報に基づいて、原稿単位で、頁欠けを検出する検出工程と、上記検出工程で検出された頁欠け箇所を表示する頁欠け表示工程とを有する。そして、上記実施例は、上記頁欠け表示工程で表示された欠け頁の再読み取りを促し、原稿の再読み取りを実行する制御工程を有する原稿読取システムの制御方法の例である。
【０１０６】
また、上記実施例は、複数種類の原稿を連続して読み取り、原稿単位で、電子ファイルを生成する原稿読取システムの制御方法である。また、上記実施例は、頁番号情報、総頁数情報、原稿特定情報、両面原稿の各頁のうちで、対になっている頁の番号である対頁番号情報を、原稿印刷時に埋め込んで印刷する情報埋め込み工程を有する。さらに、上記実施例は、読み取る原稿上に上記埋め込み工程で印刷した頁番号情報、総頁数情報、原稿特定情報、対頁番号情報を読み取る工程を有する。しかも、上記実施例は、上記頁番号情報、総頁数情報、原稿特定情報、対頁番号情報に基づいて、原稿単位で頁欠けを検出する検出工程とを有する。そして、上記実施例は、上記検出工程で検出した頁欠け箇所を表示する頁欠け表示工程と、上記頁欠け表示工程で、表示された欠け頁の再読み取りを促し、原稿の再読み取りを実行する制御工程とを有する原稿読取システムの制御方法の例である。
【図面の簡単な説明】
【０１０７】
【図１】本発明の実施例１である画像処理装置１００の構成を示すブロック図である。
【図２】実施例１において、読み込む原稿Ｄの形態を示す図である。
【図３】実施例１の構成を示すブロック図である。
【図４】実施例１において、連続してスキャンする原稿Ｄの例を示す図である。
【図５】図４に示す原稿Ｄが、スキャンデータ保持手段３１内に保存されている状態を示す図である。
【図６】図５に示す画像データを解析した結果、欠け頁がある場合に表示される警告画面の例を示す図である。
【図７】図４に示す原稿Ｄをスキャンする場合における実施例１の動作を示すフローチャートである。
【図８】実施例１における欠け頁表示動作（Ｓ２０）を示すフローチャートである。
【図９】本発明の実施例２において、両面原稿を読み込む場合の原稿の形態を示す図である。
【図１０】実施例２において、連続してスキャンする両面原稿の例を示す図である。
【図１１】画像データがスキャンデータ保持手段３１に保存されている状態を示す図である。
【図１２】図１１に示す画像データを解析した結果、欠け頁がある場合に表示される警告画面１１１を示す図である。
【図１３】実施例２において、図１０に示す両面原稿８１、８２、８３をスキャンする場合の動作を示すフローチャートである。
【図１４】両面原稿読み取り時に、裏面の読み取りを促すメッセージが保存されている状態を示す図である。
【図１５】実施例２における欠け頁表示動作（Ｓ５０）を示すフローチャートである。
【符号の説明】
【０１０８】
１００…画像処理装置、
１０…情報処理装置、
１…表示装置、
２…ＲＡＭ、
３…ＲＯＭ、
４…ＣＰＵ、
５…入力装置、
６…Ｉ／Ｆ部、
７…外部記憶装置、
２０…原稿読取装置、
２１…Ｉ／Ｆ部、
２２…原稿読取部、
３０…原稿読取装置制御部、
Ｄ、Ｄ１〜Ｄ７…原稿、
３１…スキャンデータ保持手段、
３２…埋め込み情報読取手段、
３３…頁管理手段、
３４…頁情報解析手段、
３５…欠け頁情報表示手段、
５１、５２…原稿Ｄの画像データ、
６１、６２…欠け頁警告画面、
７１、７２…原稿、
８１〜８３…原稿、
９１…警告画面、
１０１…原稿Ｄの画像データ、
１１１…欠け頁警告画面。
【図１】
2008278307.tif 000003
【図２】
2008278307.tif 000004
【図３】
2008278307.tif 000005
【図４】
2008278307.tif 000006
【図５】
2008278307.tif 000007
【図６】
2008278307.tif 000008
【図７】
2008278307.tif 000009
【図８】
2008278307.tif 000010
【図９】
2008278307.tif 000011
【図１０】
2008278307.tif 000012
【図１１】
2008278307.tif 000013
【図１２】
2008278307.tif 000014
【図１３】
2008278307.tif 000015
【図１４】
2008278307.tif 000016
【図１５】
2008278307.tif 000017